(57)【要約】【課題】従来よりも優れた、濃・淡インクを用いた記録装置を提供する。 【解決手段】例えば、複数色のうちの少なくとも１色について、濃インク用ノズル列と、淡インク用ノズル列と、を設けた記録ヘッドと、濃インク用ノズル列から濃インクを射出させ、及び淡インク列から淡インクを射出させて、濃淡インクによる記録を行う濃淡記録モードと、濃インク用ノズル列から濃インクを射出させ、及び淡インク列からも濃インクを射出させて、濃インクによる記録を行う濃記録モードと、を、印刷開始時に判断する手段と、を有し、判断する手段による判断がなされた後に、記録動作を行う。【選択図】  図６
2005231365.tif 000002
【特許請求の範囲】
【請求項１】
(a)複数色のうちの少なくとも１色について、濃インク用ノズル列と、淡インク用ノズル列と、を設けた記録ヘッドと、
(b)前記濃インク用ノズル列から濃インクを射出させ、及び前記淡インク列から淡インクを射出させて、濃淡インクによる記録を行う濃淡記録モードと、前記濃インク用ノズル列から濃インクを射出させ、及び前記淡インク列からも濃インクを射出させて、濃インクによる記録を行う濃記録モードと、を、印刷開始時に判断する手段と、
(c)を有し、
(d)前記判断する手段による判断がなされた後に、記録動作を行うことを特徴とする記録装置。
【請求項２】
請求項１に記載の記録装置において、
前記少なくとも１色について、濃インク収容部と淡インク収容部とを備えた濃淡インク用インクタンクと、濃インク収容部のみを備えた濃インク用インクタンクとを有し、
前記判断する手段は、操作者が前記濃淡インク用インクタンクを選択したか前記濃インク用インクタンクを選択したかによって、判断を行うことを特徴とする記録装置。
【請求項３】
請求項１に記載の記録装置において、
ノズルにインクを供給するためのインク供給部を有し、
前記インク供給部には、
前記少なくとも１色については濃インク収容部と淡インク収容部を含み、それぞれの色のインク収容部が形成された濃淡インク収容容器と、
前記少なくとも１色について濃インクを収容する濃インク収容部のみを含み、それぞれの色のインク収容部が形成された濃インク収容容器と、がそれぞれ着脱自在であり、
前記判断する手段は、操作者が、前記インク供給部に、前記濃淡インク用インク収容器又は前記濃インク用インク収容器を装着して、前記濃淡インク用インク収容容器を選択したか前記濃インク用インク収容器を選択したかによって、判断を行うことを特徴とする記録装置。
【請求項４】
請求項１に記載の記録装置において、
ノズルにインクを供給するためのインク供給部を有し、
前記インク供給部には、
前記少なくとも１色については濃インク収容部と淡インク収容部を含み、それぞれの色のインク収容部が形成された濃淡インク収容容器と、
前記少なくとも１色について濃インクを収容する濃インク収容部のみを含み、それぞれの色のインク収容部が形成された濃インク収容容器と、がそれぞれ着脱自在であり、
前記判断する手段は、前記インク供給部に、前記濃淡インク用インク収容器と前記濃インク用インク収容器のうちのいずれのインク収容器が装着されたかを自動的に検知することによって、判断を行うことを特徴とする記録装置。
【請求項５】
(a)複数色のうちの少なくとも１色について、濃インク用ノズル列と、淡インク用ノズル列と、を設けた記録ヘッドと、
(b)前記濃インク用ノズル列から濃インクを射出させ、及び前記淡インク列から淡インクを射出させて、濃淡インクによる記録を行う濃淡記録モードと、前記淡インク用ノズル列から淡インクを射出させ、及び前記濃インク列からも淡インクを射出させて、淡インクによる記録を行う淡記録モードと、を、印刷開始時に判断する手段と、
(c)を有し、
(d)前記判断する手段による判断がなされた後に、記録動作を行うことを特徴とする記録装置。
【請求項６】
請求項５に記載の記録装置において、
前記少なくとも１色について、濃インク収容部と淡インク収容部とを備えた濃淡インク用インクタンクと、淡インク収容部のみを備えた淡インク用インクタンクとを有し、
前記判断する手段は、操作者が前記濃淡インク用インクタンクを選択したか前記淡インク用インクタンクを選択したかによって、判断を行うことを特徴とする記録装置。
【請求項７】
請求項５に記載の記録装置において、
ノズルにインクを供給するためのインク供給部を有し、
前記インク供給部には、
前記少なくとも１色については濃インク収容部と淡インク収容部を含み、それぞれの色のインク収容部が形成された濃淡インク収容容器と、
前記少なくとも１色について淡インクを収容する淡インク収容部のみを含み、それぞれの色のインク収容部が形成された淡インク収容容器と、がそれぞれ着脱自在であり、
前記判断する手段は、操作者が、前記インク供給部に、前記濃淡インク用インク収容器又は前記淡インク用インク収容器を装着して、前記濃淡インク用インク収容容器を選択したか前記淡インク用インク収容器を選択したかによって、判断を行うことを特徴とする記録装置。
【請求項８】
請求項５に記載の記録装置において、
ノズルにインクを供給するためのインク供給部を有し、
前記インク供給部には、
前記少なくとも１色については濃インク収容部と淡インク収容部を含み、それぞれの色のインク収容部が形成された濃淡インク収容容器と、
前記少なくとも１色について淡インクを収容する淡インク収容部のみを含み、それぞれの色のインク収容部が形成された淡インク収容容器と、がそれぞれ着脱自在であり、
前記判断する手段は、前記インク供給部に、前記濃淡インク用インク収容器と前記淡インク用インク収容器のうちのいずれのインク収容器が装着されたかを自動的に検知することによって、判断を行うことを特徴とする記録装置。
【請求項９】
(a)複数色のうちの少なくとも１色について、濃インク用ノズル列と、淡インク用ノズル列と、を設けた記録ヘッドを用いた記録方法であって、
(b)前記濃インク用ノズル列から濃インクを射出させ、及び前記淡インク列から淡インクを射出させて、濃淡インクによる記録を行う濃淡記録モードと、前記濃インク用ノズル列から濃インクを射出させ、及び前記淡インク列からも濃インクを射出させて、濃インクによる記録を行う濃記録モードと、を、印刷開始時に判断し、
(c)前記判断がなされた後に、記録動作を行うことを特徴とする記録方法。
【請求項１０】
(a)複数色のうちの少なくとも１色について、濃インク用ノズル列と、淡インク用ノズル列と、を設けた記録ヘッドを用いた記録方法であって、
(b)前記濃インク用ノズル列から濃インクを射出させ、及び前記淡インク列から淡インクを射出させて、濃淡インクによる記録を行う濃淡記録モードと、前記淡インク用ノズル列から淡インクを射出させ、及び前記濃インク列からも淡インクを射出させて、淡インクによる記録を行う淡記録モードと、を、印刷開始時に判断し、
(c)前記判断がなされた後に、記録動作を行うことを特徴とする記録方法。
【発明の詳細な説明】
【技術分野】
【０００１】
本発明はインク滴（ドット）を射出して画像を形成する記録装置に関し、特に、濃・淡両インクを用いて多色の画像形成が可能な記録装置に関する。
【背景技術】
【０００２】
記録装置において多色画像の出力が可能なものがある。しかし、多色画像を出力する場合、濃インクのみでは階調表現が困難なため、シアン，マゼンタ，イエロー，ブラックの各色について濃度の異なるインクを用いて階調表現を疑似的に実現した多色画像出力を得ることのできるもの（以下、濃・淡インクを用いた記録装置、と記す）がある。
【０００３】
濃・淡インクを用いた記録装置では、例えば、濃色のブラックをＫ，シアンをＣ，マゼンタをＭ，イエローをＹとし、淡色のブラックをｋ，シアンをｃ，マゼンタをｍ，イエローをｙとするとき、図１３（ａ）の例に示すように主走査方向に各色毎に濃・淡記録ヘッドのノズルを同じライン上に一対として配設し、副走査方向に所定数のヘッドノズルを配列し、（ｂ）の例に示すようなインクタンク（この例では各色およびそれぞれの濃・淡インクタンクを一体型として着脱可能に形成したカートリッジタイプのインクタンク）から供給部を介して対応色のインクの供給を得ることにより、インク滴の射出によるノズル経路内のインクの減少を補うよう構成されている。
【０００４】
ここで、画像をある大きさの２価ドットマトリックスの集合としたとき、そのドットマトリックス内のドット値と濃インク或いは淡インクを対応させることにより画像全体について疑似的に階調表現を実現できるので、濃・淡インクを用いた記録装置では画像データについて濃インク或いは淡インクを対応させたドットマトリックス（濃・淡ラスタデータ・テーブル）を得ておき、記録時に図１３（ａ）のような配列の記録ヘッドを搭載したキャリッジを主走査方向に往復移動させて記録紙等の被記録材に該当するノズルからインク滴を射出させ、また、送りモータを駆動して被記録材を所定距離ずつ移動させることにより、被記録材上に階調表現のある多色画像を出力（記録）している。
【０００５】
このような濃・淡インクを用いた記録装置を用いる場合に、ある色について、一方の濃度のインクが他方の濃度のインクより早く消耗される場合がしばしば生ずる。このような場合にはそのインクの色成分が被記録材上に出力されなくなるので、インク残量を検出するように構成して、インク切れが生ずる直前に警告表示を行ない、その後、使用者が、無くなった色のインクを補充することにより記録装置が使用可能となるように構成されているものがある。
【０００６】
しかしながら、原稿の内容によっては高品質の画像出力を必要としない場合や、淡インクの補給や交換なしに記録を続行し、早く画像出力をしたい場合等がある。
【０００７】
このような要請に対応するものとして、特開平３ー５１５６号公報には濃・淡インクを用いるインクジェット記録装置を用いている途中で、使用者が、ある色の淡インク（濃度の低いインクをいう、以下同じ）切れを認識したが原稿の内容により濃インク（濃度の高いインクをいう、以下同じ）を用いて記録してもよいと判断するものについて、濃インクに切換えて記録できるようにする技術が開示されている。
【０００８】
ここで、上記公報開示の技術は、濃・淡インクを用いたインクジェット記録装置において、淡インクを用いる記録が行なえないことを判断する判断手段と、当該判断時に濃インクを用いて２値記録を行なわせる制御手段を備えよう構成することにより、例えば、濃淡２種設けられたブラックの淡インクが無くなった場合に、少なくともそのブラックについては濃インクを用いて２値記録が行ない、装置の使用中に淡インクがなくなった場合でもインクを補充せずに画像を出力できるように構成するものである。
【発明の開示】
【発明が解決しようとする課題】
【０００９】
しかしながら、上記公開公報に開示の技術では原稿の内容如何に拘らず、濃・淡インクを用いて画像出力を開始し、途中で、ある色の淡インク切れを検知してこれを使用者が認識してから、原稿の内容や早期画像出力の所望によって濃インクへの切換えを行なうか当該淡インクを補充するものであり、濃インクへ切換えて画像出力を行なった場合に、再生された画像から受ける全体的印象は途中でインクが切換えられたことによる影響（途中からある色だけが濃くなっているといった不釣り合いな印象等）を避けることができないという問題点がある。
【００１０】
また、原稿の内容如何に拘らず濃・淡インクを用いて画像出力を行なう場合には濃インクより淡インクの消耗が多いことが経験的に知られており、濃・淡インクタンクを一体型とし着脱自在に構成したインクカートリッジ型のインクタンクでは、ある色の淡インクのみが消耗されると、全体を交換しなければならず経済性の上で不都合があった。
【００１１】
ここで、原稿について考えると通常の文書のように１色の濃インクのみで良いものや、カラー写真画像のように濃・淡インクを用いて高品位な多色画像出力を必要とするものや、カラー原稿であっても濃・淡インクを用いる程でないもの等があることが知られている。
【００１２】
したがって、これら原稿に対し濃・淡インクを用いるのがよいか濃インクのみでもよいかは事前に使用者が決定できることであるから、濃・淡インクを必要とする原稿についてのみ濃・淡インクを最初からその原稿の画像再生出力が終るまで使用し、その他の原稿については濃インクを最初からその原稿の画像再生出力が終るまで使用できるように、濃・淡インクを用いる記録装置を構成すれば、画像出力途中で淡インクから濃インクに切換えたことによる再生画像の印象の違いを生じるようなことはなく、また、画像品質の高い再生出力を要するものについてだけ濃・淡インクを使うのでカートリッジ型のインクタンクを用いるものにあっても淡インクのみの消耗によるカートリッジ交換の機会を減少させることができ、更に、記録速度を２倍にし得ることが期待できて好ましい。
【００１３】
本発明は上記問題点を解消すると共に、上記要請を満たすべく創案されたものであり、従来よりも優れた、濃・淡インクを用いた記録装置を提供することを目的とする。
【００１４】
本発明は、また、例えば、濃・淡インクを用いた記録装置について、少なくとも１対の記録ヘッドに対し濃・淡インク或いは濃インクのうち所望のいずれかを供給可能に構成すると共に、濃インク使用時には記録速度を濃・淡インク使用時の２倍とする記録装置の提供を目的とする。
【００１５】
本発明は、また、例えば、濃・淡インクを用いた記録装置のみでなく、濃度の異なる乾性染料粒子を用いた記録装置にも適用可能とすることを目的とする。
【課題を解決するための手段】
【００１６】
上記の目的を達成するために本発明の記録装置は、例えば、(a)複数色のうちの少なくとも１色について、濃インク用ノズル列と、淡インク用ノズル列と、を設けた記録ヘッドと、(b)前記濃インク用ノズル列から濃インクを射出させ、及び前記淡インク列から淡インクを射出させて、濃淡インクによる記録を行う濃淡記録モードと、前記濃インク用ノズル列から濃インクを射出させ、及び前記淡インク列からも濃インクを射出させて、濃インクによる記録を行う濃記録モードと、を、印刷開始時に判断する手段と、(c)を有し、(d)前記判断する手段による判断がなされた後に、記録動作を行うことを特徴とする。
【００１７】
なお、濃インク用ノズルと淡インク用ノズルの配列を千鳥状に配列する。すなわち、好ましい記録装置は複数のノズルの配列からなる記録ヘッドであって、濃色用ノズル列と淡色用ノズル列を副走査方向に所定の距離だけ変位させて配列した記録ヘッド、を有する。
【００１８】
具体的には、本発明の記録装置は複数色のインクからなる記録材に対応して設けられると共に、前記複数色のうち少なくとも１色については異なる濃度の記録材に対応して設けられた記録ヘッド群によりインク滴の射出を行ない多色画像の形成を行なう記録装置であって、記録ヘッド群を構成する複数のノズルが、一対の異なる濃度の記録材のそれぞれの組について、濃度の高い記録材を射出するノズルに続いて設けられ、濃度の低い記録材を射出するノズルが主走査方向において同一ライン上ではなく副走査方向に変位するように配列され、記録開始時に、同色で濃度の異なる記録材を用いるか濃度の同じ記録材を用いるかを判断する手段と、濃度の同じ記録材を用いて記録をする場合には、濃度の高い記録材を射出するノズルと濃度の低い記録材を射出するノズルとを濃度の同じ記録材を射出するノズルとして用いて２値記録を行なわせる記録制御手段と、を備えている。なお、実施例では濃度の同じ記録材が、濃度の高い記録材であることが望ましいが、濃度の低い記録材であってもよい。
【００１９】
また、本発明の記録装置に記録材を供給する記録装置は、それぞれの色の記録材の収容部が形成された濃・淡記録材収容容器の両者を選択的に用いることができ、これら記録材収容容器は記録装置の録材供給部にそれぞれ着脱自在に形成されていることが望ましい。
【００２０】
また、記録材収容容器の代替案として、複数色の記録材のうち１色については独立した収容容器として前記記録材供給部の一部に着脱自在に形成され、他の複数色の記録材についてはそれぞれの色の記録材の収容部が形成された濃・淡記録材収容容器の両者を選択的に用いることができ、これら両記録材収容容器は録材供給部の他の一部にそれぞれ着脱自在に形成してもよい。なお、この場合、これら両記録材収容容器の記録材の収容部を一体として形成した収容容器としてもよい。
【００２１】
更に、本発明の記録装置の望ましい実施態様として、濃度の高いブラック色の記録材をＫ、シアン色の記録材をＣ、マゼンタ色の記録材をＭ、イエロー色の記録材をＹとし、濃度の低いシアン色の記録材をｃ、マゼンタ色の記録材をｍとしたとき、記録材供給部の第１の部分に着脱可能に形成され、Ｋを収容した第１の記録材収容容器と、前記記録材供給部の第２の部分に着脱可能に形成され、Ｃ，ｃ，Ｍ，ｍ，Ｙを収容した第２の記録材収容容器とを記録材供給部にそれぞれ装着したとき６色記録が可能な６色記録装置として動作し、第１の記録材収容容器と、前記記録材供給部の第２の部分に着脱可能に形成され、Ｃ，Ｍ，Ｙを収容した第３の記録材収容容器とを前記記録材供給部にそれぞれ装着したとき４色記録が可能な４色記録装置として動作するよう構成できる。
【００２２】
この場合、また更に、Ｋ或いはｋを収容した第１の記録材収容容器と、記録材供給部の第２の部分に着脱可能に形成され、ｃ，ｍ，ｙ或いはＹを収容した第４の記録材収容容器とを記録材供給部にそれぞれ装着したときにも４色記録が可能な４色記録装置として動作するよう構成してもよい。
【発明を実施するための最良の形態】
【００２３】
以下に説明する実施形態においては、少なくとも次の事項が開示されている。
【００２４】
複数のノズルの配列からなる記録ヘッドであって、複数色のインクからなる記録材に対応して交互に設けられた濃色用ノズル列と淡色用ノズル列の組を含み、前記濃色用ノズル列と淡色用ノズル列を副走査方向に所定の距離だけ変位させて配列した記録ヘッド、を有することを特徴とする記録装置（記録装置その１）。
【００２５】
複数色のインクからなる記録材に対応して設けられると共に、前記複数色のうち少なくとも１色については異なる濃度の記録材に対応して設けられた記録ヘッド群によりインク滴の射出を行ない多色画像の形成を行なう記録装置であって、前記記録ヘッド群を構成する複数のノズルが、一対の異なる濃度の記録材のそれぞれの組について、濃度の高い記録材を射出するノズルが主走査方向に続いて設けられ、濃度の低い記録材を射出するノズルが主走査方向において同一ライン上ではなく副走査方向に変位するように配列され、記録開始時に、同色で濃度の異なる記録材を用いるか濃度の同じ記録材を用いるかを判断する手段と、濃度の同じ記録材を用いて記録をする場合には、濃度の高い記録材を射出するノズルと濃度の低い記録材を射出するノズルとを濃度の同じ記録材を射出するノズルとして用いて２値記録を行なわせる記録制御手段と、を備えたことを特徴とする記録装置（記録装置その２）。
【００２６】
記録装置その２において、濃度の同じ記録材が、濃度の高い記録材であることを特徴とする記録装置その３。
【００２７】
記録装置その２において、濃度の同じ記録材が、濃度の低い記録材であることを特徴とする記録装置その４。
【００２８】
記録装置その２の各ノズルに記録材を供給するため記録装置の記録材供給部に着脱可能に形成された記録材収容容器であって、複数色の記録材のうち少なくとも１色については異なる濃度の記録材に対応して設けられた収容部を含みそれぞれの色の記録材の収容部が形成された濃・淡記録材収容容器と、複数色の記録材について濃度の同じ記録材のみを収容する収容部を含みそれぞれの色の記録材の収容部が形成された記録材収容容器とが、前記記録材供給部にそれぞれ着脱自在に形成されていることを特徴とする記録材収容容器その１。
【００２９】
記録装置２の各ノズルに記録材を供給するため記録装置の記録材供給部に着脱可能に形成された記録材収容容器であって、複数色の記録材のうち１色については独立した収容容器として前記記録材供給部の一部に着脱自在に形成され、他の複数色の記録材のうち少なくとも１色については異なる濃度の記録材に対応して設けられた収容部を含みそれぞれの色の記録材の収容部が形成された濃・淡記録材収容容器と、前記他の複数色の記録材のうち複数色の記録材について濃度の同じ記録材のみを収容する収容部を含みそれぞれの色の記録材の収容部が形成された記録材収容容器とが、前記記録材供給部の他の一部にそれぞれ着脱自在に形成されていることを特徴とする記録材収容容器その２。
【００３０】
記録材収容容器その１又はその２において、濃度の同じ記録材が、濃度の高い記録材であることを特徴とする記録材収容容器その３。
【００３１】
記録材収容容器その１又はその２において、濃度の同じ記録材が、濃度の低い記録材であることを特徴とする記録材収容容器その４。
【００３２】
記録材収容容器その１又はその２において、濃・淡記録材収容容器がそれぞれの色の記録材の収容部を一体として形成した収容容器であり、濃度の同じ記録材を含む収容容器がそれぞれの色の記録材の収容部を一体として形成した収容容器であることを特徴とする記録材収容容器その５。
【００３３】
記録装置その２において、各ノズルに記録材を供給するために設けられた記録材供給部を有し、濃度の高いブラック色の記録材をＫ、シアン色の記録材をＣ、マゼンタ色の記録材をＭ、イエロー色の記録材をＹとし、濃度の低いシアン色の記録材をｃ、マゼンタ色の記録材をｍとしたとき、記録材供給部の第１の部分に着脱可能に形成され、Ｋを収容した第１の記録材収容容器と、前記記録材供給部の第２の部分に着脱可能に形成され、Ｃ，ｃ，Ｍ，ｍ，Ｙを収容した第２の記録材収容容器とを前記記録材供給部にそれぞれ装着したとき６色記録が可能な６色記録装置として動作し、前記第１の記録材収容容器と、前記記録材供給部の第２の部分に着脱可能に形成され、Ｃ，Ｍ，Ｙを収容した第３の記録材収容容器とを前記記録材供給部にそれぞれ装着したとき４色記録が可能な４色記録装置として動作するよう構成したことを特徴とする記録装置その５。
【００３４】
記録装置その５において、更に、Ｋ或いはｋを収容した第１の記録材収容容器と、記録材供給部の第２の部分に着脱可能に形成され、ｃ，ｍ，ｙ或いはＹを収容した第４の記録材収容容器とを記録材供給部にそれぞれ装着したときにも４色記録が可能な４色記録装置として動作するよう構成したことを特徴とする記録装置その６。
【００３５】
図３は本発明の記録装置の基本的構成を示すブロック図であり、記録装置１００はホストコンピュータ２００から受信した制御データ及びラスタデータ（２値化データ）を受信バッファメモリー１０１に格納すると共に、制御データをシステムコントローラ１０２に送出し、また、各色毎のラスタデータをゲートアレイ１０７を介して各色毎に設けられたイメージバッファ１０８にそれぞれ格納する。
【００３６】
システムコントローラ１０２は、制御信号のうち駆動系の制御信号を主走査駆動ドライバ１０３或いは副走査駆動ドライバ１０５に送出しキャリッジ（ＣＲ）モータ１０２および紙送りモータ１０３を駆動し、キャリッジを主走査方向に往復移動させると共に記録用紙等の被記録材を副走査方向に搬送する。また、描画系の制御データを記録ヘッド駆動ドライバ１０９に送出する。
【００３７】
記録ヘッド駆動ドライバ１０９は描画系の制御データを受け取りイメージバッファ１０８に格納されているラスタデータを逐次読み出して記録ヘッドアレイ１１１を構成する複数のインク滴射出用ノズルに対応するドットの値（１ｏｒ０）に応じてインク滴射出を射出させ、或いは射出させないよう制御する。
【００３８】
記録ヘッドアレイ１１１を構成する個々のノズルは図１に示すように主走査方向に各色毎に濃・淡ノズルを一対として配列し、副走査方向にそれぞれのノズルが配設されている。
【００３９】
図１は本発明に基づく記録装置のインク滴射出用ノズルの配列説明図であり、本発明の特徴的な配列として、従来のように濃・淡ノズルの組を主走査方向で同じライン上に配設するのではなく、１対の濃・淡ノズルの組で濃ノズル列の次に位置する淡ノズル列を副走査方向に変位させて位置付けて一種の千鳥状に配列してある。
【００４０】
例えば、図１で濃色のブラックをＫ，シアンをＣ，マゼンタをＭ，イエローをＹとし、淡色のブラックをｋ，シアンをｃ，マゼンタをｍ，イエローをｙとするとき、円で示されているノズルは、主走査方向にＫ，ｋ，Ｃ，ｃ，Ｍ，ｍ，Ｙ，ｙの順に配設され、副走査方向にはＫ，ｋ，Ｃ，ｃ，Ｍ，ｍ，Ｙ，ｙのそれぞれの列についてノズルをＮ個ずつ配設してあるが、濃・淡ノズルの対であるＫとｋ，Ｃとｃ，Ｍとｍ，Ｙとｙについては、ｋ，ｃ，ｍ，ｙはそれぞれＫ，Ｃ，Ｍ，Ｙに対し副走査方向に距離ｚだけ変位させて配設されている（なお、ｚは０＜ｚ≦Ｚ／２であればよい）。
【００４１】
このように淡インク用ノズルを濃インク用ノズルから副走査方向に変位させて配設することにより、後述するように淡インク用ノズルを濃インク用ノズルとして用いる場合に記録速度を２倍にすることができる。なお、濃インク用ノズルを淡インク用ノズルから副走査方向に変位させて配設しても同様の効果が得られることはいうまでもない。
【００４２】
図２は濃・淡インクを用いる記録装置１００のインクタンクの類型の説明図であり、（ａ）は各色毎に濃度の高いインク（Ｋ，Ｃ，Ｍ，Ｙ）を収容した濃インク収容部と濃度の低いインク（ｋ，ｃ，ｍ，ｙ）を収容した淡インク収容部を一対とし全体を一体として構成した一体型インクタンクであり、固定型タンク（図９参照）或いはインク供給部に着脱可能なカートリッジとして構成できる。固定型タンクの場合は大量且つ高速に再生カラー画像の記録を行なう業務用記録装置に適している。（ｂ）は使用頻度の高い色（図ではブラック（Ｋ，ｋ））を収容するインクタンク２３を別体とし、その他のインクの収容部２４をまとめて一体とした一部分離型のインクタンクでありカートリッジ型式としての取扱に適している（図７，図８参照）。（Ｃ）は各色毎に収容部を分離し、各々の収容部をカートリッジ型式にしたものであり、画像によって使用する色の頻度が著しく異なったり、特に、高品質なインクを一時的に用いる場合などに好適である。
【００４３】
なお、図２の（ａ）〜（ｃ）に共通して各々の濃インク収容部および淡インク収容部にはインク供給口（図示せず）が設けられ、インク供給管等の供給部材を備えたインク供給部を介して後述の高密度に形成された記録ヘッドの対応のノズルにインクを供給する。
【００４４】
なお、図２では濃インク（Ｋ），淡インク（ｋ）、濃インク（Ｃ），淡インク（ｃ）、濃インク（Ｍ），淡インク（ｃ）、濃インク（Ｙ），淡インク（ｙ）というように各色毎に濃インクと淡インクを１対として構成したが、これに限られず、例えば、後述する６色／４色切換えインクを用いた記録装置（図７参照）のように、使用頻度の高いブラック（Ｋ）や、濃色と淡色の区別が再生画像を全体的に視ると顕著に表われないイエロー（Ｙ）については濃色のみとするができる。つまり、各色のうち少なくとも１色について濃インクと淡インクを１対として構成すればよい。
【００４５】
図４は濃・淡インクから濃インクに切換え後のインクタンクとノズル配列の対応関係を示す図である。
【００４６】
本発明では濃・淡インクを用いて再生画像を記録する記録装置の少なくとも濃・淡１対のインクを濃インクで置き換え可能にするため、濃・淡インクカートリッジ（図４（ａ））および濃インクカートリッジ（図４（ａ）’）、或いは濃・淡インク用固定タンクおよび濃インク用固定インクタンク（図９）を構成し、高画質を要しない再生画像については最初から濃インクを用いて再生画像を記録する。なお、固定タンクによる場合は、濃・淡記録モード用と濃記録モード用に予め２つの固定タンクを装置内或いは装置外に設けるよう構成することが望ましい。
【００４７】
図４（ａ）で濃・淡カートリッジ４１には濃インク（Ｋ），淡インク（ｋ）、濃インク（Ｃ），淡インク（ｃ）、濃インク（Ｍ），淡インク（ｍ）、濃インク（Ｙ），淡インク（ｙ）が充填されており、記録ヘッドアレイ１１１には図４（ｂ）に示すように、それぞれのインクに対応する各ノズルが配設されており、システムコントローラ１０２により駆動制御される記録ヘッド駆動ドライバ１０９により取込まれるイメージバッファ１０８のラスタデータの値が１のとき対応するノズルからインク滴の射出が行なわれる。
【００４８】
使用者が濃・淡カートリッジに換えて図４（ａ）’に示すような濃インクカートリッジ４２を用いると、記録ヘッドアレイ１１１の構成及び配列は固定であるため変ることなく図４（ｂ）と同じではあるが、図４（ｂ）で淡インク用ノズルとして用いられたノズル（ブラックを例とすると２列目のノズル）がカートリッジの交換後は濃インク用ノズルとして用いられることになるので、ノズル列は図４（ｂ）’に示すように（Ｋ，Ｋ、Ｃ，Ｃ、Ｍ，Ｍ、Ｙ，Ｙ）となり、この場合カートリッジ内のインクＫ，Ｃ，Ｍ，Ｙの容量は倍増されることになる。
【００４９】
なお、インクの濃度は溶液内の染料や顔料の量により決定され、濃度が変るとインクの粘度が変ってくるため、淡ノズルを濃インク用ノズルとして用いる場合には淡インクと濃インクの粘度およびその他の流体特性を一致しておくことが望ましい。
【００５０】
図５は濃・淡インクから濃インクに切換え前、切換え後の記録速度の比較説明図である。
【００５１】
記録密度７２０ｄｐｉ（dot/inch）の記録装置を例とすると副走査方向のノズル間距離を１／７２０インチとすることが望ましいが、設計上、副走査方向のノズル間距離は１／７２０インチではなく、例えば、図５（ａ）に示すように１／９０インチに設定されている。
【００５２】
図５（ａ）は、濃・淡インクを用いる記録装置の副走査方向の濃インク用ノズル（図では黒丸で示す）と淡インクノズル（図では黒三角形で示す）の配列の例を示し、濃インク用のノズルおよび淡インク用ノズルの副走査方向のノズル間距離を１／９０インチとし、淡インク用ノズルを１／１８０インチ副走査方向にずらして配設した（すなわち、上下２つの濃インク用ノズルの中間に相当する位置にて配設した）例である（以下、図５（ｂ），（ｃ）において同様）。
【００５３】
図５（ｂ）は、図５（ａ）の配列の記録ヘッドで、説明上、濃インク用ノズルのみを駆動した場合のパス数の説明図であり、１回目のパスでは１行分の動作を行ない動作終了後１／７２０インチだけ紙送りがなされ、２回目以降の動作も同様である。ノズル間距離は１／９０であるからこの動作を８回繰返すと１／７２０インチごとに記録が行なわれることとなり、８パスで７２０ｄｐｉの記録が行なわれることとなる（図で番号１〜８はパスの順序を示す）。
【００５４】
なお、淡インク用ノズルのみを駆動した場合も濃インク用ノズルのみを駆動した場合と同様に８パスで７２０ｄｐｉの記録が行なわれるから、濃インク用ノズル或いは淡インク用ノズルを用いて多色画像を再生する場合も８パスで７２０ｄｐｉの記録が行なわれる。
【００５５】
図５（ｃ）は、図５（ａ）の配列の記録ヘッドで、淡インク用ノズルに濃インクを供給して濃インク用ノズルとして用いた場合のパス数の説明図であり、１回目のパスでは濃インク用ノズルで１行分、濃インクを用いる淡インク用ノズルで１行分、計２行分の動作を行ない、動作終了後１／７２０インチだけ紙送りがなされ、２回目以降の動作も同様である。ノズル間距離は１／９０であるからこの動作を４回繰返すと１／７２０インチごとに記録が行なわれることとなり、４パスで７２０ｄｐｉの記録が行なわれることとなる（図で番号１〜４はパスの順序を示す）。従って、淡インク用ノズルを濃インク用ノズルとして使用して濃インクのみの記録を行なった場合は濃・淡インクを使用して記録を行なう場合に比べ２倍（８パス／４パス＝２）の記録速度となる。
【００５６】
なお、この例では、説明上、淡インク用ノズルを１／１８０インチ副走査方向にずらして配設した場合について説明したが、淡インク用ノズルのずれを１／１８０インチより小さくしても同様の効果が得られることはいうまでもない。
【００５７】
図６は、本発明の記録装置におけるインク切換え制御の基本的構成の説明図としてのフローチャートである。
【００５８】
図６のステップＳ１で、使用者は原稿の再生記録にあたって濃・淡インクによる高品質画像の再現記録を行なうか、濃インクのみによる再現記録でよいかを選択する。
【００５９】
固定型インクタンクの場合には記録装置１００の操作パネル等（図示せず）に設けられた選択ボタン或いは操作スイッチ等を操作して濃・淡インク用または濃インク用インクタンクの選択を行なうと使用インクタンク情報が記録装置１００からホストコンピュータ２００のプリンタドライバに送信される。
【００６０】
一方、インクタンクがカートリッジ型の場合には使用者が所望のカートリッジをカートリッジ収容部を兼ねたインク供給部１１２にセットし、記録装置１００の操作パネル等に設けられた選択ボタン或いは操作スイッチ等を操作して濃・淡インク用または濃インク用インクタンクのどれを選択したかの情報を与えると、使用インクタンク情報が記録装置１００からホストコンピュータ２００のプリンタドライバ（図示せず）に送信される。
【００６１】
なお、図８の説明で述べるように濃・淡記録用インクカートリッジおよび濃記録用インクカートリッジを着脱した場合に、着脱したカートリッジの種類を自動的に検知するようインク供給部１１２を構成してもよく、この場合は検知されたカートリッジが濃・淡インク用または濃インク用のいずれかを知らせる情報が使用インクタンク情報としてホストコンピュータ２００のプリンタドライバ（図示せず）に送信される。
【００６２】
ステップＳ２で、ホストコンピュータ２００のプリンタドライバは受け取った使用インクタンク情報を調べ、それが濃・淡インクを使用することを意味する場合にはステップＳ３に移行し、濃インクのみを使用することを意味する場合にはステップＳ５に移行する。
【００６３】
ステップＳ３ではプリンタドライバの色分け処理で濃・淡インクテーブルを選択するようにすると共に、紙送り制御信号として濃・淡インクでの記録用の制御信号を選択する。ステップＳ４ではテーブル処理されたデータをラスタ化して紙送り制御信号と共に記録装置１００に送信する。
【００６４】
ステップＳ５ではプリンタドライバの色分け処理で濃インクテーブルを選択するようにすると共に、紙送り制御信号として濃インクでの記録用の制御信号を選択する。ステップＳ６ではテーブル処理されたデータをラスタ化して紙送り制御信号と共に記録装置１００に送信する。
【００６５】
ステップＳ７では記録装置１００は図３の説明で述べたと同様の記録処理動作を行なう。 
なお、上記説明ではプリンタドライバをホストコンピュータ２００側にあるものとしたが、記録装置１００側に置くよう構成してもよい。
【００６６】
また、本実施の形態では濃・淡インクと濃インクとの交換の場合について述べたが、本発明はこれに限定されず、濃・淡インクと淡インクとの交換の場合にも同様に適用できる。
【００６７】
すなわち、使用者が濃・淡カートリッジに換えて図１２（ａ）’に示すような淡インクカートリッジ４３を用いると、記録ヘッドアレイ１１１の構成及び配列は固定であるため変ることなく図１２（ｂ）と同じではあるが、図１２（ｂ）で濃インク用ノズルとして用いられたノズル（ブラックを例とすると１列目のノズル）がカートリッジの交換後は淡インク用ノズルとして用いられることになるので、ノズル列は図１２（ｂ）’に示すように（ｋ，ｋ、ｃ，ｃ、ｍ，ｍ、ｙ，ｙ）となり、この場合カートリッジ内のインクｋ，ｃ，ｍ，ｙの容量は倍増されることになる。そして、濃・淡インクから淡インクに切換え前、切換え後の記録速度も、濃・淡インクから濃インクに切換え前、切換え後の記録速度と同様２倍になることは図５の説明で「濃インク」とあるのを「淡インク」と、「淡インク」とあるのを「濃インク」と読み替えれば明らかであり、図６についても同様である。 これらは濃インクと淡インクとの交換の場合にも同様に適用できる。
【実施例】
【００６８】
図７は、本発明の記録装置の一実施例である６色インクジェットプリンタの説明図であり、６色インクジェットプリンタは濃・淡印刷が可能な６色インクカートリッジから濃色印刷のみの４色インクカートリッジと交換可能に構成されている。
【００６９】
図７（ａ）は本実施例で用いる６色用インクカートリッジの色構成例を示す図であり、６色用インクカートリッジは文書記録等で使用頻度の高いブラック（Ｋ）用のカートリッジ７１を別体とし、シアン（Ｃ，ｃ）とマゼンタ（Ｍ，ｍ）をそれぞれ濃・淡１対としまたイエローを濃色（Ｙ）１色とした５色の収容部を一体としたカートリッジ７２の２つのカートリッジ型インクタンクからなっている。 なお、イエローを濃色（Ｙ）のみとしたのは濃色（Ｙ）は明度が十分に高く、低濃度領域にドットを打っても目立たないため、特に淡インク（ｙ）を用いる必要がないことによる。
【００７０】
図７（ａ）’は４色用インクカートリッジであり、４色用インクカートリッジは図７（ａ）のブラック（Ｋ）用のカートリッジ７１と濃色シアン（Ｃ），濃色マゼンタ（Ｍ），および濃色イエロー（Ｙ）の３色の収容部を一体としたカートリッジ７２’の２つのカートリッジ型インクタンクからなっている。
【００７１】
図７（ｂ）は６色濃・淡インク用ノズルの配列であり、図１の説明で述べた記録ヘッドアレイ１１１の濃・淡インク用ノズルの配列と同じ配列であるが、６色印刷時には淡色ブラック（ｂ）と淡色イエロー（ｙ）は用いられない。すなわち、記録ヘッド駆動ドライバは６色印刷時にはブラック（ｂ）とイエロー（ｙ）用の列のノズルを用いないように制御される。
【００７２】
カートリッジを濃４色に切換えた場合には図７（ｂ）’に示すように濃インク用ノズルと淡インク用ノズルは共に濃インク用ノズルとして濃インクを射出する。なお、４色印刷の場合は図５および図６の説明で述べたように濃インク用ノズルと淡インク用ノズルから置き換わった濃インク用ノズルによって印刷を行なうので、６色印刷の場合に比べ２倍の速度で印刷ができる。
【００７３】
これによりカラー写真のような高品質の再生画像を望む場合には６色インクカートリッジを用いて印刷を行ない、その他の場合にはカートリッジ７２をカートリッジ７２’に交換して４色インクカートリッジとして高速印刷を行なうことができる。さらに、ブラック（Ｋ）用のカートリッジ７１を別体としてあるので、文書印刷等によるブラックの消耗があってもカートリッジ全体を交換する必要がなく、カートリッジ７１の交換だけでよいことになる。
【００７４】
なお、本実施例ではブラック（Ｋ）を別体のカートリッジとしたが、シアン（Ｃ，ｃ）、マゼンタ（Ｍ，ｍ）、イエロー（Ｙ）のいずれかまたはその組合せを別体としてそれぞれ独立したカートリッジとして構成してもよい。また、インクタンクを交換可能なカートリッジ型ではなく、固定型インクタンクとして（Ｋ，Ｃ，ｃ，Ｍ，ｍ，Ｙ）の６色のインクを収容するタンクと（Ｋ，Ｃ，Ｍ，Ｙ）の４色のインクを収容するタンクを設けるように構成してもよい。
【００７５】
６色印刷の場合に比べ２倍の速度で印刷ができる。 
また、本実施例では６色インクジェットプリンタは濃・淡印刷が可能な６色インクカートリッジから濃色印刷のみの４色インクカートリッジと交換可能に構成したが、これに限ることなく、淡色印刷のみの４色インクカートリッジとも交換可能に構成してもよい。すなわち、濃・淡印刷が可能な６色インクカートリッジから、或いは淡色印刷のみの淡色ブラック（ｋ）用のカートリッジと淡色シアン（ｃ），淡色マゼンタ（ｍ），および淡色イエロー（ｙ）の３色の収容部を一体としたカートリッジ２つの淡４色カートリッジと交換可能に構成してもよい。また、この場合、淡色ブラックｋをブラックＫとし淡色イエローｙをイエローＹとしてもよい。
【００７６】
カートリッジを淡４色に切換えた場合には濃インク用ノズルと淡インク用ノズルは共に淡インク用ノズルとして淡インクを射出する。なお、淡４色印刷の場合にも図５および図６の説明で述べたように濃インク用ノズルから置き換わった淡インク用ノズルと淡インク用ノズルによって印刷を行なうので、６色印刷の場合に比べ２倍の速度で印刷ができる。
【００７７】
また、本実施例では記録装置としてプリンタを例としたがファクシミリその他の画像出力装置にも適用できることはいうまでもない。
【００７８】
図８は、図７の６色インクジェットプリンタのインク供給部８０の一例の外観を示す斜視図でありブラック用カートリッジ７１の収容部８１と他のカートリッジ７２または７２’の収容部８２に分けられている。８３はブラック用カートリッジの供給口（図示せず）に嵌入或いは挿入してカートリッジ内のインクをインク供給部１１２側に導入する突起状の導入部材であり、８４ー１〜８４ー５は（Ｃ，ｃ，Ｍ，ｍ，Ｙ）の５色を収容するカートリッジ７２或いは（Ｃ，Ｍ，Ｙ）の３色のインクを収容するカートリッジ７２’の供給口（図示せず）に嵌入或いは挿入してカートリッジ内のインクをインク供給部１１２側に導入する突起状の導入部材である。
【００７９】
また、カートリッジ７２’にはシアンＣ用およびマゼンタＭ用の供給口としてカートリッジ７２のシアンＣ，ｃ用およびマゼンタＭ，ｍ用と同じ位置に対応する供給口を設けてある。
【００８０】
８５，８６はスイッチであり、カートリッジ７１が挿入されるとスイッチ８５がオンとなり、カートリッジ７２または７２’が挿入されるとスイッチ８６がオンとなる。  
この場合、スイッチ８６をカートリッジ７２用のスイッチとカートリッジ７２’用のスイッチ（何れも図示せず）に構成することが望ましい。このように構成することにより、カートリッジ７２の着脱に対応してカートリッジ７２用スイッチがオン／オフし、カートリッジ７２’の着脱に対応してカートリッジ７２’用のスイッチオン／オフするので、図６の「使用インク情報」入力が自動的に行なえて好適である。また、この場合、スイッチ８６に代えてカートリッジ７２用の接点とカートリッジ７２’用の接点を収容部８２とカートリッジ７２，７２’側にそれぞれ設けておき、電流の導通を検出してカートリッジ７２、７２’の着脱を自動的に検知し「使用インク情報」を自動的に送出するよう構成してもよい。
【００８１】
図９は固定型インクタンクの一例の外観を示す斜視図であり、図９では固定用インクタンク９０の蓋９１、インク収容部本体９２およびインク供給口部９３が示されている。固定用インクタンク９０は記録装置１００の内部あるいは外部に付設されておりインク供給部１１２とインク供給口部９３はチューブ等の適切な導管で連結されている。インク収容部本体９２は内部で各色毎のインクを収容するインク収容部に分けられ、各インク収容部には図示されていないがインクが混合しないように中蓋あるいは逆流防止弁付インク注入部材が設けられている。
【００８２】
図１０、１１は、インク残量検出方式を付加した場合に図１に付加するフローチャートである。
【００８３】
本発明で、インクカートリッジを用いるよう記録装置を構成した場合にカートリッジ交換の頻度が多いとカートリッジ内のインク残量が記録装置側（およびホストコンピュータ）で把握できなくなるので、カートリッジ交換の頻度が高くてもカートリッジ毎のインク残量を不揮発性メモリーに記憶するなどしてインク残量を把握できるよう記録装置を構成してもよい。
【００８４】
図１０はドット数をカウントして（Ｓ４１）メモリー（図示せず）に濃・淡インクカートリッジおよび濃インクカートリッジのインク残量を記憶させ（Ｓ４２）、インク残量を所定値ｐと比較し（Ｓ４３）、インク残量が所定値ｐ以下のとき警告を発し（Ｓ４４）、インクカートリッジの交換（Ｓ４５）後、インク残量を１００％にリセットする（Ｓ４６）よう構成した例である。なお、図でＳ４、Ｓ６は図６のフローチャートからの分岐点であり、Ｓ７は復帰点を示す。
【００８５】
図１１はインクタンク内のインク残量を物理的手段、例えば、光学的手段を用いて光の透過率から検出したり、電気的手段により電導率を基に検出し（Ｓ８１）、インク残量を所定値Ｐと比較し（Ｓ８２）、インク残量が所定値Ｐ以下のとき警告を発し（Ｓ８３）、インクカートリッジの交換（Ｓ８４）後ステップＳ１に戻るよう構成した例である。なお、図でＳ８は図６のフローチャートからの継続点を示す。
【００８６】
以上本発明の実施例について説明したが、本発明は上述した各実施例に限定されるものではなく、種々の変形実施が可能であることはいうまでもない。
【００８７】
以上説明したように本実施形態によれば、濃・淡インクを必要とする原稿についてのみ濃・淡インクを最初からその原稿の画像再生出力が終るまで使用し、その他の原稿については濃インクを最初からその原稿の画像再生出力が終るまで使用できるように濃・淡インクを用いる記録装置を構成してあるので、画像出力途中で淡インクから濃インクに切換えたことによる再生画像について違和感を生じるようなことはなく、また、カートリッジ型のインクタンクを用いる場合に、画像品質の高い再生出力を要するものについてだけ濃・淡インクを使うのでカートリッジ型のインクタンクを用いるものにあっても淡インクのみの消耗によるカートリッジ交換の機会を減少させることができる。
【００８８】
また、記録ヘッドアレイの濃・淡ノイズ配列を千鳥状にしたことにより濃インクのみを用いた場合に記録速度を濃・淡インクを用いた場合の２倍にできる。
【００８９】
更に、濃インクのみを用いる場合のカートリッジのインク量は濃・淡インク用カートリッジより多くできるので記録速度が２倍になってもカートリッジ交換頻度はそのことによっては増加しない。
【図面の簡単な説明】
【００９０】
【図１】本発明に基づく記録装置のインク滴射出用ノズルの配列説明図である。
【図２】一体型および分離型インクタンクの説明図である。
【図３】本発明の記録装置の基本的構成を示すブロック図である。
【図４】濃・淡インクから濃インクに切換え後のインクタンクとノズル配列の対応関係を示す図である。
【図５】濃インクに切換え前、切換え後の記録速度の比較説明図である。
【図６】本発明の記録装置におけるインク切換え制御方式の基本的構成の説明図としてのフローチャートである。
【図７】本発明の記録装置の一実施例である６色インクジェットプリンタの説明図である。
【図８】６色インクジェットプリンタのインク供給部の一例の外観を示す斜視図である。
【図９】固定型インクタンクの一例の外観を示す斜視図である。
【図１０】インク残量検出方式を付加した場合に図１に付加するフローチャートである。
【図１１】他のインク残量検出方式を付加した場合に図１に付加するフローチャートである。
【図１２】濃・淡インクから淡インクに切換え後のインクタンクとノズル配列の対応関係を示す図である。
【図１３】濃・淡インクを用いた記録装置のノズル配列の従来例である。
【符号の説明】
【００９１】
４１  濃・淡インクカートリッジ（濃・淡記録材収容容器）
７１  濃インクカートリッジ（第１の記録材収容容器）
７２  濃・淡インクカートリッジ（第２の記録材収容容器）
７２’  濃インクカートリッジ（第３の記録材収容容器））
８０，１１２  インク供給部（記録材供給部）
８１  ブラック用インクカートリッジ収容部（第１の部分）
８２  その他のインクカートリッジ収容部（第２の部分）
８５，８６  スイッチ
１００  記録装置
１１１  記録ヘッドアレイ
１１３  インクタンク
２００  ホストコンピュータ 
【図１】
2005231365.tif 000003
【図２】
2005231365.tif 000004
【図３】
2005231365.tif 000005
【図４】
2005231365.tif 000006
【図５】
2005231365.tif 000007
【図６】
2005231365.tif 000008
【図７】
2005231365.tif 000009
【図８】
2005231365.tif 000010
【図９】
2005231365.tif 000011
【図１０】
2005231365.tif 000012
【図１１】
2005231365.tif 000013
【図１２】
2005231365.tif 000014
【図１３】
2005231365.tif 000015